(57)【要約】      （修正有）【課題】デパートの化粧品売り場の施術師や美容師の技術に頼ることなく、一般の人であっても肌触りがよく、きめ細かなパウダー状化粧品を用いて容易に化粧ができる便利な扁平な化粧用ブラシを提供する。【解決手段】柄２に、口金３を介して挟持・固定される毛先４Ｂからなる化粧用ブラシ１において、口金の毛先側口端３ａを、扁平な環体に形成し、口金の前部、後部の口端には、それぞれ、舌片状の突出部３ｂを口金と一体に設け、口金の側面部の口端には、それぞれ、切り欠き溝部３ｄ，３ｄ´を設け、毛先の後端部は、突出部と、切り欠き溝部に挟持・固定され、毛先の前端部は、扇形状に形成されている。【選択図】図１
0003210247.tif 000002
【実用新案登録請求の範囲】
【請求項１】
柄（２）に、口金（３）を介して挟持・固定される毛先（４Ｂ）からなる化粧用ブラシ（１）において、  
前記口金（３）の毛先（４）Ｂ側の口端（３ａ）は、扁平な環体に形成し、
前記口金（３）の前部、後部の口端は、それぞれ、舌片状の突出部（３ｂ，３ｂ´）を口金と一体に設け、
前記口金（３）の側面部の口端は、それぞれ、切り欠き溝部（３ｄ，３ｄ´）を設け、
前記毛先（４Ｂ）の後端部は、前記突出部と、前記切り欠き溝部に挟持・固定され
前記毛先（４Ｂ）が前端部は、扇形状に形成した
ことを特徴とすることを特徴とする扁平な化粧用ブラシ。
【請求項２】
柄（２）に、口金（３）を介して挟持・固定される毛先（４Ａ）からなる化粧用ブラシ（１）において、  
前記口金（３）の毛先（４Ａ）側の口端（３ａ）は、扁平な環体に形成し、
前記口金（３）の前部、後部の口端は、それぞれ、舌片状の突出部（３ｂ，３ｂ´）を口金と一体に設け、
前記口金（３）の側面部の口端は、それぞれ、切り欠き溝部（３ｃ，３ｃ´）を設け、
前記毛先（４Ａ）の後端部は、前記突出部と、前記切り欠き溝部に挟持・固定され
前記毛先（４Ａ）の前端部は、一方に傾斜した略扇形状に形成した
ことを特徴とすることを特徴とする扁平な化粧用ブラシ。
【請求項３】
前記切り欠き溝部が、略Ｖ字形状、あるいは略Ｕ字形状から選ばれた溝部である
ことを特徴とする請求項１または２記載の扁平な化粧用ブラシ。
【考案の詳細な説明】
【技術分野】
【０００１】
この考案は、扁平な化粧用ブラシに関するものであり、さらに詳しくは、化粧の仕上げ用（フィニッシング）、ライナー、アイブロウ等に使用する際、最適な扁平な化粧用ブラシである。
【背景技術】
【０００２】
従来、化粧用ブラシは、使用する顔面の箇所や使用する化粧品により、それに適した種々の化粧用ブラシが開発されている。例えば、特許文献１のように。
【先行技術文献】
【特許文献】
【０００３】
【特許文献１】特開２０１１−８７６７５号公報
【０００４】
しかし、近年、パウダーやファンデーション等の化粧品の目覚しい進化によって、これらの化粧品に適合する化粧用ブラシ（例えば、チーク、アイシャドウ、ライナー、アイブロウ、コンシーラ用）が開発され、販売されている。しかし、これらを用いて化粧する場合、顔面の部位を化粧する際には、デパートの化粧品売り場の施術師や美容師のテクニックでカバーしていた。
【考案の概要】
【考案が解決しようとする課題】
【０００５】
そこで、この考案は化粧の仕上げ用等に使用する扁平な化粧用ブラシあって、前記デパートの化粧品売り場の施術師や美容師の技術に頼ることなく、一般の人であっても肌触りがよく、きめ細かなパウダー状化粧品を用いて容易に化粧ができる便利な扁平な化粧用ブラシを開発・提供する事にある。
【課題を解決するための手段】
【０００６】
この考案に係る扁平な化粧用ブラシは、
柄に、口金を介して挟持・固定される毛先からなる化粧用ブラシにおいて、  
前記口金の毛先側の口端は、扁平な環体に形成し、
前記口金の前部、後部の口端は、それぞれ、舌片状の突出部を口金と一体に設け、
前記口金の側面部の口端は、それぞれ、切り欠き溝部を設け、
前記毛先の後端部は、前記突出部と、前記切り欠き溝部に挟持・固定され
前記毛先が前端部は、扇形状に形成した
ことを特徴とする。
【０００７】
また、
柄に、口金を介して挟持・固定される毛先からなる化粧用ブラシにおいて、  
前記口金の毛先側の口端は、扁平な環体に形成し、
前記口金の前部、後部の口端は、それぞれ、舌片状の突出部を口金と一体に設け、
前記口金の側面部の口端は、それぞれ、切り欠き溝部を設け、
前記毛先の後端部は、前記突出部と、前記切り欠き溝部に挟持・固定され
前記毛先の前端部は、一方に傾斜した扇形状に形成した
ことを特徴とする。
【０００８】
さらに、
前記切り欠き溝部が、略Ｖ字形状、あるいは略Ｕ字形状から選ばれた溝部である
ことを特徴とする。
【考案の効果】
【０００９】
この考案によると、口金（３）の毛先側口端（３ａ）に形成した舌片状の突出部（３ｂ，３ｂ´）を設けることにより、口金の毛先（４Ａ、４Ｂ）を形成する複数本の毛（Ｘ）との接触面積を拡大することにより、該毛を堅牢に固定出来、また、口金（３）の両側面に、切り欠き溝部（３ｃ，３ｃ´）（３ｄ、３ｄ´）を設けることにより、毛先（４Ａ、４Ｂ）の両端が扇形状あるいは略扇形状に開いた毛先となり、口金の口端に形成した前記舌片状の突出部（３ｂ，３ｂ´）と、この略Ｖ字状の切り欠き溝部（３ｃ，３ｃ´）及び略Ｕ字状の切り欠き溝部（３ｄ，３ｄ´）を設けることで、該毛先（４Ａ，４Ｂ）の幅を拡げることが出来ると共に、口金（３）と毛（Ｘ）との接触面を多くすることにより、毛を堅牢に口金に挟持・固定できる等の効果を奏ものである。
【００１０】
そして、前記毛先（４Ａ）の前端部は、一方に傾斜した扇形状に形成したことにより、傾斜部の高い方の上端角部を利用して、パウダー等の化粧品容器が比較的狭い口であっても容易に取り出すことが出来る等の効果を奏する。
【００１１】
さらに、図１及び図２に示す口金（３）の小さい化粧用ブラシは、両側面の切り欠き溝部（３ｄ，３ｄ´）を、略Ｕ字状に形成することにより、毛先（４Ｂ）を乱暴に取り扱っても略Ｖ字状の溝部に比べて破損され難く堅牢である等の効果を奏する。
【図面の簡単な説明】
【００１２】
【図１】この考案の一実施例を示す正面図である。
【図２】この考案の一実施例を示す右面図である。
【図３】この考案の他の実施例を示す正面図である。
【図４】この考案の他の実施例を示す側面図である。
【考案を実施するための形態】
【００１３】
以下、この考案の詳細について詳細に説明する。尚、この考案においては、以下の記述に限定されるものではなく、この考案の要旨を逸脱しない範囲においては適宜変更可能である。
【実施例】
【００１４】
そこで、この考案の一実施例を図１〜図２に基づいて詳述すると、柄（２）に、口金（３）を介して挟持・固定される毛先（４Ｂ）からなる化粧用ブラシ（１）において、前記口金（３）の毛先（４Ｂ）側の口端（３ａ）は、扁平な環体に形成し、前記口金（３）の前部、後部の口端は、それぞれ、舌片状の突出部（３ｂ，３ｂ´）を口金と一体に設け、前記口金（３）の側面部の口端は、それぞれ、切り欠き溝部（３ｄ，３ｄ´）を設け、前記毛先（４Ｂ）の後端部は、前記突出部と、前記切り欠き溝部に挟持・固定されて、扇形状に形成したことを特徴とする扁平な化粧用ブラシから構成される。
【００１５】
そして、前記口金（３）の前部、後部の口端は、それぞれ、舌片状の突出部（３ｂ，３ｂ´）を口金と一体に設けており、前記口金（３）の側面部の口端は、それぞれ、略Ｕ字状の切り欠き溝部（３ｄ，３ｄ´）を設け、前記毛先（４Ｂ）の後端部は、前記突出部と、前記略Ｕ字状の切り欠き溝部（３ｄ，３ｄ´）に設け、前記化粧用ブラシ（１）の毛先（４Ｂ）の前端部は扇形状（図１，図２参照）に形成されている。
【００１６】
なお、この扁平な化粧用ブラシは、前記実施例に比べて、毛先（Ｘ）、柄（２）、口金（３）の全てが全体的に細く、小さなブラシであって、ライナーやアイブロウに使用する際に便利である扁平な化粧用ブラシである。
【００１７】
次に、この考案の他の実施例を図３〜図４に基づいて詳述すると、柄（２）に、口金（３）を介して挟持・固定される毛先（４Ａ）からなる化粧用ブラシ（１）において、前記口金（３）の毛先（４Ａ）側の口端（３ａ）は、扁平な環体に形成し、前記口金（３）の前部、後部の口端は、それぞれ、舌片状の突出部（３ｂ，３ｂ´）を口金と一体に設け、前記口金（３）の側面部の口端は、それぞれ、切り欠き溝部（３ｄ，３ｄ´）を設け、前記毛先（４Ａ）の後端部は、前記突出部と、前記切り欠き溝部に挟持・固定されて、扇形状に形成したことを特徴とする扁平な化粧用ブラシから構成される。
【００１８】
そして、柄（２）に、口金（３）を介して挟持・固定される毛先（４）からなる化粧用ブラシ（１）は、前記口金（３）の毛先（４）側の口端（３ａ）は、扁平な環体に形成し、前記口金（３）の前部、後部の口端は、それぞれ、舌片状の突出部（３ｂ，３ｂ´）を口金と一体に設け、前記口金（３）の側面部の口端は、それぞれ、略Ｕ字状の切り欠き溝部（３ｄ，３ｄ´）を設け、前記毛先（４）の後端部は、前記突出部と、前記略Ｕ字状の切り欠き溝部（３ｄ，３ｄ´）に設けた前記ブラシ（１）の毛先（４）の上面が扇形状（図３，図４参照）である。
【産業上の利用可能性】
【００１９】
この考案の扁平な化粧用ブラシの技術を確立し、実施することにより、産業上利用できるものである。
【符号の説明】
【００２０】
１  化粧用ブラシ
２  柄
３  口金
３ａ  口端
３ｂ，３ｂ´突出部
３ｃ，３ｃ´略Ｖ字状の切り欠き溝部
３ｄ，３ｄ´  略Ｕ字状の切り欠き溝部
４Ａ，４Ｂ  毛先
４ａ  毛先の先端部
Ｘ  毛
【図１】
0003210247.tif 000003
【図２】
0003210247.tif 000004
【図３】
0003210247.tif 000005
【図４】
0003210247.tif 000006